(57)【要約】【課題】  本発明は、容易にケーブルの架設作業を行うことができ、しかも作業場所の広狭に拘わらず、また高所作業を行うことなくケーブルを架設することができるケーブル保持具及びその取付工具、並びにそれらを用いたケーブルの架設方法を提供することを課題とする。【解決手段】  架設対象物に沿ってケーブルを架設すべく、ケーブルを保持して架設対象物に適宜間隔で取り付けられるケーブル保持具であって、折り曲げられてケーブルを収容する空間が内側に形成され、接着手段を介して架設対象物に固定される保持具本体と、ケーブル保持具を架設対象物に取り付けるための取付工具に係止される被係止部とを備えることを特徴とする。【選択図】      図１
2006254644.tif 000002
【特許請求の範囲】
【請求項１】
架設対象物に沿ってケーブルを架設すべく、ケーブルを保持して架設対象物に適宜間隔で取り付けられるケーブル保持具であって、
折り曲げられてケーブルを収容する空間が内側に形成され、接着手段を介して架設対象物に固定される保持具本体と、
ケーブル保持具を架設対象物に取り付けるための取付工具に係止される被係止部とを備えることを特徴とするケーブル保持具。
【請求項２】
請求項１記載のケーブル保持具を高所に位置する雨樋等の架設対象物に取り付けるための取付工具であって、
ケーブル保持具の前記被係止部を係止する係止手段と、
架設対象物を清掃する清掃手段と、
前記係止手段及び清掃手段を先端側に配置した状態で支持する長尺な支持体と、
前記係止手段及び清掃手段の一方が他方よりも架設対象物に接近するように、相互の位置を変更させる操作手段とを備えることを特徴とする取付工具。
【請求項３】
請求項１記載のケーブル保持具及び請求項２記載の取付工具を用いて高所に位置する雨樋等の架設対象物にケーブルを架設するケーブルの架設方法であって、
ケーブルを内側に挟み込むようにケーブル保持具の前記保持具本体を折り曲げ、
取付工具の前記係止手段にケーブル保持具の前記被係止部を係止させた後、
取付工具の前記清掃手段が係止手段よりも架設対象物に接近する状態で、低所側から架設対象物を清掃し、
しかる後、取付工具の前記操作手段を用いて係止手段が清掃手段よりも架設対象物に接近する状態としてから、架設対象物にケーブル保持具を取り付けることを特徴とするケーブルの架設方法。
【発明の詳細な説明】
【技術分野】
【０００１】
本発明は、引き込み用のケーブルを雨樋等の架設対象物に架設する際に使用されるケーブル保持具及び取付工具、並びにそれらを用いたケーブルの架設方法に関する。
【背景技術】
【０００２】
一般に、例えば受電用や通信用のケーブルを建物内に導入する場合、幹線ケーブルから引き込み用のケーブル（いわゆる引き込みケーブル若しくはドロップケーブル）を分岐させ、これを幹線ケーブルの直近にある雨樋等の架設対象物に沿わせて屋内への引き込み位置近傍まで導くようにしている。この際、引き込み用のケーブル（以下、単に「ケーブル」という）は、例えば結束バンドなどの結束部材あるいはモールによって架設対象物に取り付けられる。
【０００３】
ところで、雨樋などの架設対象物は、通常、建物の軒先など比較的高い所に設置されるものであるため、ケーブルを架設する際には、高所での作業を可能にする専用の高所作業車や梯子など、作業者が高所へ接近するための接近手段が利用される。
【発明の開示】
【発明が解決しようとする課題】
【０００４】
しかしながら、結束バンドなどの結束部材は、ケーブルと架設対象物とを束ねるように緊締することで両者を固定するものであり、取付に際してはケーブルを架設対象物に沿わせた状態を維持しつつ結束部材を取り扱う必要があるため、時間も要して作業性が良くないという問題がある。
【０００５】
また、結束部材は、細長い部材であるため、経年劣化によって断裂が生じ易いという問題がある。この場合、たとえ耐候性を有する結束部材を用いたとしても、有効な解決策とはならない。
【０００６】
さらに、ケーブルの架設に際しては、接近手段を利用した高所作業を強いられるため、結束部材自体の作業性の悪さと相まって、結果的にケーブルの架設作業全体の作業性が良くないという問題がある。その上、例えば建物が密集している狭い空間など所定の広さを確保できない場所では、高所作業車を進入させて使用することはできず、梯子を使用せざるを得ないが、さらに狭い場所では梯子さえも使用することができず、ケーブルの架設作業が制約を受けることもある。
【０００７】
そこで、本発明は、上記問題に鑑み、容易にケーブルの架設作業を行うことができ、また、高所作業を行うことなくケーブルを架設することができるケーブル保持具及びその取付工具、並びにそれらを用いたケーブルの架設方法を提供することを目的とする。
【課題を解決するための手段】
【０００８】
本発明に係るケーブル保持具は、架設対象物に沿ってケーブルを架設すべく、ケーブルを保持して架設対象物に適宜間隔で取り付けられるケーブル保持具であって、折り曲げられてケーブルを収容する空間が内側に形成され、接着手段を介して架設対象物に固定される保持具本体と、ケーブル保持具を架設対象物に取り付けるための取付工具に係止される被係止部とを備えることを特徴とする。
【０００９】
上記構成からなるケーブル保持具によれば、まず、ケーブルにケーブル保持具を装着させ、次に、取付工具に係止して架設対象物の位置まで移動させることで、架設されるべきケーブルも共に架設対象物の位置まで移動させる。そして、移動先において、ケーブル保持具を架設対象物に接着して取り付ければ、ケーブルの架設が可能となる。
【００１０】
また、該ケーブル保持具を高所に位置する雨樋等の架設対象物に取り付ける場合においては、まず、低所においてケーブルにケーブル保持具を装着させ、次に、ケーブル保持具を架設対象物の位置まで移動させることで、ケーブルも共に移動して高所に位置する架設対象物への架設が可能となる。
【００１１】
その際には、ケーブル保持具の前記被係止部を係止する係止手段と、架設対象物を清掃する清掃手段と、前記係止手段及び清掃手段を先端側に配置した状態で支持する長尺な支持体と、前記係止手段及び清掃手段の一方が他方よりも架設対象物に接近するように、相互の位置を変更させる操作手段とを備えることを特徴とする取付工具を用いるのが好適である。
【００１２】
上記構成からなる取付工具によれば、係止手段及び清掃手段が長尺な支持体の先端側に配置した状態で支持されるため、作業者が低所側から取付工具を操作することにより、作業者自体が高所に移動しなくともケーブルの架設作業を行うことができるばかりでなく、ケーブル保持具の取付に先立って架設対象物を清掃することにより、より確実且つ強固にケーブル保持具を取り付けることができる。しかも、取付工具には操作手段が備えられるため、作業者は、清掃作業と取付作業とを連続して行うことができ、ケーブルの架設作業を迅速に行うことができる。
【００１３】
なお、上記構成からなる取付工具を用いて架設対象物にケーブルを架設する場合は、取付工具の前記清掃手段が係止手段よりも架設対象物に接近する状態で、低所側から架設対象物を清掃し、しかる後、取付工具の前記操作手段を用いて係止手段が清掃手段よりも架設対象物に接近する状態としてから架設対象物にケーブル保持具を取り付けるようにすればよい。
【発明の効果】
【００１４】
以上のように、本発明によれば、ケーブル保持具をケーブルに簡単に装着でき、しかも、ケーブルに装着したケーブル保持具を架設対象物に接着して取り付けるだけでよいので、容易にケーブルの架設作業を行うことができる。また、取付工具を用いれば低所からの作業が可能となるので、高所作業を行うことなくケーブルを架設することができる。
【発明を実施するための最良の形態】
【００１５】
以下に、本発明に係るケーブル保持具及び取付工具の実施形態について、図面に基づいて説明する。
【００１６】
図１（イ）及び（ロ）に示すように、本実施形態に係るケーブル保持具１は、高所に位置する雨樋等の架設対象物（図示しない）に、例えば電線、電話線、光ファイバーケーブルなどのケーブル７を架設すべく、ケーブル７を保持して架設対象物に適宜間隔で取り付けられるものであり、折り曲げられてケーブル７を収容する空間６が内側に形成され、接着手段５を介して架設対象物に固定される保持具本体２を主体構成とし、ケーブル保持具１を架設対象物に取り付けるための取付工具（図示しない）に係止される被係止部４を付帯構成としている。
【００１７】
前記保持具本体２は、可撓性を有する帯状の部材であり、長手方向中央付近で折り曲げられて使用される。この保持具本体２が折り曲げられて形成される内側の空間６は、ケーブル７の線長方向の動きを拘束することがないよう、断面形状がケーブル７の断面形状よりも大きくなっている。これにより、ケーブル保持具１をケーブル７に非固定状態で装着できるため、ケーブル７に装着された、ケーブル保持具１を架設対象物に取り付けた後に、ケーブル７を引っ張って弛みを取ることができる。保持具本体２の材質としては、ゴムや樹脂等が用いられる。具体的には、保持具本体２は、幅約２０ｍｍ、長さ約４０ｍｍの寸法を有し、折り曲げられて長さが約２０ｍｍとなる。なお、寸法はこれに限定されるものではなく、例えば幅が約１２ｍｍのものであってもよい。
【００１８】
また、該保持具本体２には、折り曲げられた状態を維持するために、長手方向両端部に保形部３が設けられている。この保形部３は、前記保持具本体２の長手方向両端部同士を連結すると共に、前記空間６内に収容されたケーブル７が保持具本体２から脱落することを防止するためのものである。具体的には、保形部３は、一方の端部の内面から突出し、頭部が膨径化されたピンと、他方の端部に形成されたピン挿通孔とからなる。
【００１９】
前記被係止部４は、ケーブル保持具１を低所から雨樋等の架設対象物が位置する高所まで搬送するのに用いられる部材であり、保持具本体２の折り曲げられた一方側の外面に該保持具本体２と一体的に設けられる。また、被係止部４は、幅方向両端に開口部４ａを有する。さらに、該被係止部４の開口部４ａに前記取付工具を挿入し易いように、被係止部４の両端４ｂは中央部ほど幅狭な形状に形成される。具体的には、被係止部４は、幅約１２ｍｍ、長さ約１２ｍｍの寸法を有する。
【００２０】
前記接着手段５は、保持具本体２の折り曲げられた他方側の外面と架設対象物とを接着する部材である。具体的には、接着作業を行う上では両面テープが好ましいが、液体状の接着剤であってもよい。また、両面テープは、予め一方の接着面が保持具本体２に接着された状態でケーブル保持具１に備え付けられていることが好ましいが、ケーブル保持具１とは別に準備され、接着を行う際に保持具本体２に貼り付けられるものであってもよい。
【００２１】
上記構成からなるケーブル保持具１は、以下に示される取付工具を用いれば、より効率的且つ確実に架設対象物に取り付けることができる。この取付工具について、図２に基づいて説明する。
【００２２】
取付工具９は、ケーブル保持具１の被係止部４を係止する係止部１６を先端部に有する取付手段１３が一端側に設けられ、且つ架設対象物を清掃する清掃手段１４が他端側に設けられる回転体１０と、該回転体１０の略中央部分を先端側で回転可能に支持する長尺な支持体１１と、前記回転体１０を回転（角度変位）させることにより、前記取付手段１３及び前記清掃手段１４の一方が他方よりも架設対象物に接近するように、相互の位置を変更させる操作手段１２とを備えている。
【００２３】
前記回転体１０は、棒状体であり、また、回転させても支持体１１と接触しないように構成されている。具体的には、前記回転体１０と前記支持体１１とは、該支持体１０の先端側から側方に突出する軸部材１５によって連結されている。
【００２４】
前記取付手段１３は、前記回転体１０の一端側に基端部が固定される棒状体であり、ケーブル保持具１の取付に際して最適な位置又は方向をとることができるように、中間部分を適宜折り曲げ可能に構成されている。また、前記係止部１６は、前記係止手段に相当する部材であり、取付手段１３の先端部に設けられており、開口部４ａに挿入されることでケーブル保持具１の被係止部４を係止する。
【００２５】
前記清掃手段１４は、回転体１０の他端側において回転可能に取り付けられる板状体１７と、該板状体１７に巻き付けられる布地１８とからなり、該布地１８を架設対象物に擦り付けることによって、架設対象物に付着した泥などの汚れを拭き取る。また、板状体１７は、架設対象物に沿うように向きを変更することができる。なお、板状体１７は、回転体１０の回転軸の方向に対して垂直に回転するように、回転軸が設定されている。
【００２６】
前記支持体１１は、地上に立つ作業者が、取付手段１３又は清掃手段１４を、例えば雨樋が取り付けられる建物の軒先（屋根の庇）の高さまで到達させることができる程度の長さを有する。
【００２７】
前記操作手段１２は、回転体１０の両端側から下方に垂らされる一対の紐状体１９，２０であり、どちらか一方を下方に引っ張ることにより、前記回転体１０を回転（角度変位）させて他端側に設けられた取付手段１３若しくは清掃手段１４を上方に持ち上げるように作用する。
【００２８】
以下に、上記構成からなるケーブル保持具１及び取付工具９を用いてケーブルの架設作業を行う方法について説明する。
【００２９】
まず、低所（例えば地上）において、ケーブル７を内側に挟み込むように保持具本体２を折り曲げ、保持具本体２の幅方向両端部に設けられた保形部３を用いて保持具本体２を保形し、図１に示す状態とする。次に、取付工具９の係止部１６をケーブル保持具１の開口部４ａに挿入することで被係止部４を係止する。同時に、清掃手段１４の板状体１７に布地１８を巻き付ける。そして、支持体１１の基端側を持ち、取付工具９を高所に位置する架設対象物に接近させる。この際、取付工具９は、回転体１０の回転面が架設対象物の面と直交するように作業者に持たれる。
【００３０】
その次に、操作手段１２のうち清掃手段１４が設けられている側とは反対、即ち取付手段１３が設けられている側に垂らされる紐状体１９を引っ張り、清掃手段１４を架設対象物に接近させ、図３（イ）に示す状態とする。そして、清掃手段１４を架設対象物２１に擦り付けることによって、ケーブル保持具１を取り付けようとしている箇所に付着した泥などの汚れを拭き取る。清掃作業が終了すると、操作手段１２のうち取付手段１３が設けられている側とは反対、即ち清掃手段１４が設けられている側に垂らされる紐状体２０を引っ張り、先端側にケーブル保持具１が係止されている取付手段１３を架設対象物に接近させ、図３（ロ）に示す状態とする。そして、先ほどの清掃作業で清掃された箇所に、ケーブル保持具１を押し付け、接着手段５によって取り付ける。
【００３１】
これら一連の作業を繰り返し、所定長さの架設対象物２１に、所定間隔を置いてケーブル保持具１を取り付ける。最後に、ケーブル７を端側から引っ張ることによってケーブル７の弛みを取り、ケーブル７が架設対象物２１に沿う状態とする。
【００３２】
以上のように、本実施形態に係るケーブル保持具１及び取付工具９を用い、上記方法によってケーブル７を架設すれば、確実且つ強固にケーブル保持具１を取り付けることができ、また、ケーブル７の架設作業も高所作業を行うことなく容易且つ迅速に行うことができ、しかも、架設対象物２１に架設されたケーブル７が弛むことなく見た目を良好なものとすることができる。
【００３３】
なお、本発明に係るケーブル保持具１及び取付工具９は、上記実施形態に限定されるものではなく、本発明の要旨を逸脱しない範囲で種々の変更が可能である。
【００３４】
例えば、上記実施形態においては、架設対象物は雨樋を例に説明したが、高所に位置する壁面や天井などもこれに含まれる。
【００３５】
また、保持具本体２の折り曲げられた他方側の外面に、架設対象物として一般的に用いられる断面円弧状の雨樋に沿うＲ形状の凹みを形成してもよい。このようにすれば、ケーブル保持具１と雨樋とを接着した際に、両者をより密に接着することができる。
【００３６】
さらに、上記実施形態においては、回転体１０と支持体１１とを、支持体１１の先端側から側方に突出する軸部材１５を用いて連結したが、支持体１１の先端に回転体１０の回転軸が位置するように構成してもよい。このようにすれば、取付工具９全体の重心を支持体１１に近い位置とすることができるため、作業者が取付工具９を安定に持つことができ、清掃作業と取付作業とを容易に行うことができる。
【００３７】
そして、上記実施形態においては、操作手段１２は、前記回転体１０の両端から垂らされる一対の紐状体１９，２０で構成されたが、これに限定されるものではなく、回転体１０の回転軸に取り付けられるモーター等の駆動手段と、該駆動手段の駆動方向を切り換えるスイッチ等の切換手段とで構成されるものであってもよい。
【００３８】
また、上記実施形態においては、係止部１６を有する取付手段１３及び清掃手段１４は、支持体１１の先端側で回転可能に支持される回転体１０の両端側に設けられたが、これに限定されるものではなく、支持体１１の内側に収容される一対の棒状体の先端側に設けられるものであってもよい。
【図面の簡単な説明】
【００３９】
【図１】本発明の実施形態に係るケーブル保持具を示す図であって、（イ）は、正面図を示し、（ロ）は、側面図を示す。
【図２】同実施形態に係る取付工具の斜視図を示す。
【図３】同実施形態に係るケーブル保持具を取付工具に係止させた状態を示す側面図であって、（イ）は、清掃手段を上方に持ち上げた状態を示し、（ロ）は、架設手段を上方に持ち上げた状態を示す。
【符号の説明】
【００４０】
１…ケーブル保持具、２…保持具本体、３…保形部、４…被係止部、５…接着手段、６…空間、７…ケーブル、９…取付工具、１０…回転体、１１…支持体、１２…操作手段、１３…取付手段、１４…清掃手段、１５…軸部材、１６…係止部、１７…板状体、１８…布地、１９…紐状体、２０…紐状体、２１…架設対象物
【図１】
2006254644.tif 000003
【図２】
2006254644.tif 000004
【図３】
2006254644.tif 000005